(57)【要約】【課題】通信端末装置間の同時発信の繰り返しを抑制すること。【解決手段】通信端末装置は、着信通知が受信されると、呼び出しに失敗した発信のうち、着信先の番号が、前記着信通知に含まれる発信元の番号に一致し、発信に関する時刻が前記着信通知に係る時刻と所定の関係を有する発信の有無を判定する判定部と、前記所定の関係を有する発信が有れば、当該通信端末装置又は前記着信先の通信端末装置に、発信の抑制を示す情報を出力させる抑制部とを有する。【選択図】図３
2014230125.tif 000002
【特許請求の範囲】
【請求項１】
通信端末装置であって、
着信通知が受信されると、呼び出しに失敗した発信のうち、着信先の番号が、前記着信通知に含まれる発信元の番号に一致し、発信に関する時刻が前記着信通知に係る時刻と所定の関係を有する発信の有無を判定する判定部と、
前記所定の関係を有する発信が有れば、当該通信端末装置又は前記着信先の通信端末装置に、発信の抑制を示す情報を出力させる抑制部と、
を有する通信端末装置。
【請求項２】
前記抑制部は、前記着信先の通信端末装置に前記発信の抑制を示す情報を送信し、
前記情報が送信されると、前記着信先への発信を自動的に行う発信部を有する請求項１記載の通信端末装置。
【請求項３】
前記抑制部は、当該通信端末装置の表示部に前記発信の抑制を示す情報を表示し、前記着信先の通信端末装置に、当該通信端末装置への発信を促す情報を送信する請求項１記載の通信端末装置。
【請求項４】
前記抑制部は、前記着信通知に含まれる発信元の番号と、当該通信端末装置の番号との比較に基づいて、当該通信端末装置又は前記着信先の通信端末装置を、発信の抑制を示す情報を出力先として選択する請求項１乃至３いずれか一項記載の通信端末装置。
【請求項５】
通信端末装置が、
着信通知が受信されると、呼び出しに失敗した発信のうち、着信先の番号が、前記着信通知に含まれる発信元の番号に一致し、発信に関する時刻が前記着信通知に係る時刻と所定の関係を有する発信の有無を判定し、
前記所定の関係を有する発信が有れば、当該通信端末装置又は前記着信先の通信端末装置に、発信の抑制を示す情報を出力させる、
処理を実行する発信抑制方法。
【請求項６】
通信端末装置に、
着信通知が受信されると、呼び出しに失敗した発信のうち、着信先の番号が、前記着信通知に含まれる発信元の番号に一致し、発信に関する時刻が前記着信通知に係る時刻と所定の関係を有する発信の有無を判定し、
前記所定の関係を有する発信が有れば、当該通信端末装置又は前記着信先の通信端末装置に、発信の抑制を示す情報を出力させる、
処理を実行させる発信抑制プログラム。
【発明の詳細な説明】
【技術分野】
【０００１】
本発明は、通信端末装置、発信抑制方法、及び発信抑制プログラムに関する。
【背景技術】
【０００２】
２台の通信端末装置が、お互いに他方の通信端末装置を着信先として、ほぼ同時に発信を行うと、双方の通信端末装置からの発信に関して、着信先の呼び出しに失敗することが有る。この場合、一方の通信端末装置のユーザが、他方からの着信を待機し、他方の通信端末装置のユーザが発信を行えば、円滑に通話を開始することができる。
【先行技術文献】
【特許文献】
【０００３】
【特許文献１】特開２００５−１３００２９号公報
【発明の概要】
【発明が解決しようとする課題】
【０００４】
しかしながら、通常、二人のユーザは、相互に離れた場所に所在しているため、意思の疎通をとることが困難である。したがって、双方の通信端末装置において再び同時に発信が行われ、呼び出しの失敗が繰り返されてしまう可能性が有る。
【０００５】
そこで、一側面では、通信端末装置間の同時発信の繰り返しを抑制することを目的とする。
【課題を解決するための手段】
【０００６】
一つの案では、通信端末装置は、着信通知が受信されると、呼び出しに失敗した発信のうち、着信先の番号が、前記着信通知に含まれる発信元の番号に一致し、発信に関する時刻が前記着信通知に係る時刻と所定の関係を有する発信の有無を判定する判定部と、前記所定の関係を有する発信が有れば、当該通信端末装置又は前記着信先の通信端末装置に、発信の抑制を示す情報を出力させる抑制部とを有する。
【発明の効果】
【０００７】
一態様によれば、通信端末装置間の同時発信の繰り返しを抑制することができる。
【図面の簡単な説明】
【０００８】
【図１】本実施の形態における通信システムの構成例を示す図である。
【図２】本実施の形態における通信端末装置のハードウェア構成例を示す図である。
【図３】本実施の形態における一方の通信端末装置の機能構成例を示す図である。
【図４】同時発信に応じて着信通知が行われる際の処理手順の一例を説明するためのシーケンス図である。
【図５】第一の実施の形態における同時発信抑制処理の処理手順の一例を説明するためのフローチャートである。
【図６】第二の実施の形態における同時発信抑制処理の処理手順の一例を説明するためのフローチャートである。
【発明を実施するための形態】
【０００９】
以下、図面に基づいて本発明の実施の形態を説明する。図１は、本実施の形態における通信システムの構成例を示す図である。
【００１０】
図１に示される通信システム１において、通信端末装置１０ａと通信端末装置１０ｂとは、電話通信網Ｎ１等を介して通信可能とされている。以下、通信端末装置１０ａ及びｂを区別しない場合、単に、通信端末装置１０という。各通信端末装置１０又は一方の通信端末装置１０は、有線によって電話通信網Ｎ１に接続されてもよい。本実施の形態において、通信端末装置１０ａと通信端末装置１０ｂとは、相互に他方を通信相手とする。通信端末装置１０の一例として、携帯電話（フィーチャーフォン）、スマートフォン、又はタブレット型端末等が挙げられる。また、固定型の電話機等の通信機器が、通信端末装置１０として利用されてもよい。
【００１１】
電話通信網Ｎ１は、電話回線のみならず、交換機等の装置を含む。電話通信網Ｎ１には、ＳＭＳセンター２０が接続されている。ＳＭＳセンター２０は、ショートメッセージサービス（ＳＭＳ）を提供するコンピュータシステムである。本実施の形態において、ＳＭＳセンター２０は、通信端末装置１０に対して着信通知を送信する。着信通知とは、不在着信通知とも呼ばれ、着信できなかったことを通知するメッセージをいう。着信通知には、発信元の電話番号及び着信時刻等が含まれる。着信の失敗は、例えば、通信端末装置１０の状態が、電源ＯＦＦ、発信中、着信中、又は通話中等である場合に発生する。
【００１２】
図２は、本実施の形態における通信端末装置のハードウェア構成例を示す図である。図２において、通信端末装置１０は、ＣＰＵ１０１、メモリ１０２、補助記憶装置１０３、表示装置１０４、入力装置１０５、無線通信装置１０６、及び通話用ハードウェア１０７等を有する。
【００１３】
補助記憶装置１０３は、通信端末装置１０にインストールされたプログラム等を記憶する。メモリ１０２は、プログラムの起動指示があった場合に、補助記憶装置１０３からプログラムを読み出して記憶する。ＣＰＵ１０１は、メモリ１０２に記憶されたプログラムに従って通信端末装置１０に係る機能を実現する。
【００１４】
表示装置１０４は、液晶ディスプレイ等である。入力装置１０５は、ボタン等であり、ユーザからの入力を受け付ける。なお、表示装置１０４及び入力装置１０５は、タッチパネルを構成してもよい。この場合、入力装置１０５は、ユーザの指等の接触物の接触を検出するセンサを含む電子部品であってもよい。
【００１５】
無線通信装置１０６は、無線ＬＡＮ（Local Area Network）又は移動体通信網等における通信を行うために必要とされるアンテナ等の電子部品である。通話用ハードウェア１０７は、マイク及びスピーカー等、通話に利用される各種のハードウェアの集合である。
【００１６】
図３は、本実施の形態における一方の通信端末装置の機能構成例を示す図である。図３において、通信端末装置１０ａは、通話制御部１１、着信通知監視部１２、着信通知受信部１３、同時発信判定部１４、及び同時発信抑制部１５等を有する。これら各部は、例えば、補助記憶装置１０３に記憶されたプログラムが、ＣＰＵ１０１に実行させる処理により実現する。
【００１７】
通話制御部１１は、発信や着信等、電話回線を利用した通話に関する制御を行う。着信通知監視部１２は、着信通知の受信を監視する。着信通知受信部１３は、着信通知を受信する。同時発信判定部１４は、着信先の呼び出しに失敗した過去の発信に関する情報と、着信通知に含まれる情報とに基づいて、同時発信の発生の有無を判定する。本実施の形態では、２台の通信端末装置１０が、お互いに他方の通信端末装置１０を着信先として、ほぼ同時に発信を行うことを「同時発信」という。同時発信が発生すると、双方の通信端末装置１０において、他方の通信端末装置１０の呼び出しに失敗し、双方の通信端末装置１０において、着信通知が受信されることが有る。
【００１８】
同時発信抑制部１５は、同時発信判定部１４によって同時発信が発生したと判定された場合に、再度の同時発信の発生を抑制するための処理を制御する。例えば、同時発信抑制部１５は、通信端末装置１０ａ又は通信端末装置１０ｂに、同時発信の抑制を示す情報を出力させるための処理を実行する。
【００１９】
以下、通信端末装置１０ａが実行する処理手順について説明する。本実施の形態では、通信端末装置１０ａと通信端末装置１０ｂとの間で、同時発信が発生した状況を想定する。そこで、まず、同時発信に応じて着信通知が行われる仕組みの概要について説明する。
【００２０】
図４は、同時発信に応じて着信通知が行われる際の処理手順の一例を説明するためのシーケンス図である。
【００２１】
例えば、通信端末装置１０ａが、通信端末装置１０ｂの電話番号を着信先として発信を行うと（Ｓ１１）、電話通信網Ｎ１において通信端末装置１０ｂの状態が確認される。通信端末装置１０ｂの在圏状況が判明するまでの間に、通信端末装置１０ａの電話番号を着信先とする発信が、通信端末装置１０ｂによって行われると（Ｓ２１）、通信端末装置１０ａからの発信に応じた通信端末装置１０ｂの状態確認において、通信端末装置１０ｂはビジー状態（通話中）であると判定される。その結果、通信端末装置１０ｂの呼び出しは失敗する。そこで、電話通信網Ｎ１から通信端末装置１０ａに対し、通信端末装置１０ｂがビジー状態であることを示す信号が返信される（Ｓ１２）。通信端末装置１０ａは、ユーザによる操作に応じ、発信を終了させる（Ｓ１３）。
【００２２】
同様に、通信端末装置１０ｂからの発信に応じた通信端末装置１０ａの状態確認において、通信端末装置１０ａは、ビジー状態であると判定される。その結果、通信端末装置１０ａの呼び出しに失敗する。そこで、電話通信網Ｎ１から通信端末装置１０ｂに対し、通信端末装置１０ａがビジー状態であることを示す信号が返信される（Ｓ２２）。通信端末装置１０ｂは、ユーザによる操作に応じ、発信を終了させる（Ｓ２３）。
【００２３】
電話通信網Ｎ１は、通信端末装置１０ｂがビジー状態のため通信端末装置１０ｂを呼び出せなかったこと、すなわち、通信端末装置１０ｂによる着信の失敗に係る着信通知の送信を、ＳＭＳセンター２０に要求する（Ｓ１４）。電話通信網Ｎ１は、また、通信端末装置１０ａがビジー状態のため通信端末装置１０ａを呼び出せなかったこと、すなわち、通信端末装置１０ａによる着信の失敗に係る着信通知の送信を、ＳＭＳセンター２０に要求する（Ｓ２４）。ＳＭＳセンター２０は、要求された着信通知を、通信端末装置１０ａ及び通信端末装置１０ｂに送信する（Ｓ１５、Ｓ２５）。
【００２４】
このように、同時発信の場合、双方の通信端末装置１０に対して、着信通知が送信される。
【００２５】
続いて、一方の通信端末装置１０ａが実行する処理手順について説明する。図５は、第一の実施の形態における同時発信抑制処理の処理手順の一例を説明するためのフローチャートである。
【００２６】
ステップＳ１１０において、通信端末装置１０ａの通話制御部１１は、ユーザによって指定された電話番号を着信先として発信を行う。当該発信に係る呼び出しが着信されると（Ｓ１２０でＮｏ）、着信先の通信端末装置１０ｂとの間で通話が行われる。
【００２７】
一方、着信先の呼び出しに失敗すると（Ｓ１２０でＹｅｓ）、ステップＳ１３０以降において、同時発信制御処理が実行される。なお、着信先の呼び出しの失敗とは、ステップＳ１１０における発信（以下、「呼出失敗発信」という。）に関して、着信先が、電源ＯＦＦ、発信中、着信中、又は通話中等のために着信できなかった状態をいう。
【００２８】
ステップＳ１３０において、着信通知監視部１２は、着信通知の受信の監視時間を計測するためのタイマー（以下、「監視タイマー」という。）を起動させる。続いて、着信通知監視部１２は、着信通知受信部１３によって着信通知が受信されたか否かを判定する（Ｓ１４０）。着信通知の受信の待機は、監視タイマーの値が、予め設定された所定時間に達するまで行われる（Ｓ１７０）。監視タイマーの値が、所定時間に達しても着信通知が受信されない場合（Ｓ１７０でＹｅｓ）、着信通知監視部１２は、監視タイマーを停止し（Ｓ２００）、同時発信抑制処理を終了させる。
【００２９】
所定時間以内に、着信通知受信部１３によって着信通知が受信された場合（Ｓ１４０でＹｅｓ）、同時発信判定部１４は、呼出失敗発信の着信先の電話番号（以下、「着信先番号」という。）と、着信通知に含まれている発信元の電話番号（以下、「発信元番号」という。）とを比較する（Ｓ１５０）。着信先番号と発信元番号とが一致しない場合（Ｓ１５０でＮｏ）、監視タイマーの値が、所定時間に達していなければ（Ｓ１７０でＮｏ）、着信通知の待機が継続される。
【００３０】
着信先番号と発信元番号とが一致する場合（Ｓ１５０でＹｅｓ）、同時発信判定部１４は、着信通知に係る発信元からの発信の時期は、呼出失敗発信が行われている間であったか否かを判定する（Ｓ１６０）。当該判定は、着信通知に含まれている時刻又は着信通知が受信された時刻と、呼出失敗発信に関する時刻とが、所定の関係（又は条件）を満たしているか否かによって行われる。例えば、着信通知に含まれている着信時刻が、呼出失敗発信の開始から終了までの間の時刻であるか否かが判定されてもよい。または、着信通知に含まれている着信時刻若しくは着信通知の受信時刻が、発信の開始時刻から所定時間以内であるか否かが、判定されてもよい。
【００３１】
なお、呼出失敗発信の着信先の電話番号や、当該発信に関する時刻等は、例えば、ステップＳ１１０において、通話制御部１１が、メモリ１０２に記憶しておいてもよい。すなわち、通話制御部１１は、発信が行われるごとに、当該発信の着信先の電話番号や、当該発信に関する時刻等をメモリ１０２に記憶してもよい。または、補助記憶装置１０３に記憶されている発信履歴より、呼出失敗発信の着信先の電話番号や、当該発信に関する時刻等が取得されてもよい。
【００３２】
着信通知に係る発信元からの発信が、呼出失敗発信の間ではなかったと判定される場合（Ｓ１６０でＮｏ）、監視タイマーの値が、所定時間に達していなければ（Ｓ１７０でＮｏ）、着信通知の待機が継続される。
【００３３】
着信通知に係る発信元からの発信が、呼出失敗発信の間であったと判定される場合（Ｓ１６０でＹｅｓ）、同時発信判定部１４は、同時発信が発生したと判定する。そこで、同時発信抑制部１５は、呼出失敗発信における着信先に対して、発信の抑制を示す情報（以下、「発信抑制情報」という。）を送信する（Ｓ１８０）。発信抑制情報は、例えば、「こちらからかけ直しますので、しばらくお待ち下さい。」といったようなメッセージでもよい。当該メッセージは、例えば、ショートメッセージサービスを利用して送信されてもよいし、電子メールによって送信されてもよい。電子メールによって送信される場合、呼出失敗発信における着信先に対応するメールアドレスは、例えば、補助記憶装置１０３に記憶されているアドレス帳より取得されてもよい。アドレス帳においては、メールアドレスと電話番号とが対応付けられている。
【００３４】
続いて、通話制御部１１は、呼出失敗発信における着信先の電話番号に対して、自動的に発信を行う（Ｓ１８１）。
【００３５】
ここで、ステップＳ１８０において着信先に送信された発信抑制情報により、当該着信先である通信端末装置１０ｂのユーザによる、再度の発信が抑制されることを期待することができる。したがって、ステップＳ１８１の自動発信に係る呼び出しは、着信先の通信端末装置１０ｂにおいて着信されることが期待できる。すなわち、再度の同時発信が回避され、迅速な通話の成立を期待することができる。
【００３６】
続いて、着信通知監視部１２は、監視タイマーを停止させ（Ｓ２００）、同時発信抑制処理を終了させる。
【００３７】
なお、発信抑制情報が、ショートメッセージサービス又は電子メールによって送信される場合、着信先のユーザは、通信端末装置１０ｂを操作して発信抑制情報を閲覧する必要がある。そうすると、当該ユーザは、発信抑制情報の閲覧を後回しにして、発信を繰り返す可能性も考えられる。そこで、発信抑制情報には、着信先の通信端末装置１０ｂが解釈可能なコマンドが含まれてもよい。当該コマンドを受信した通信端末装置１０ｂは、発信抑制情報に含まれているメッセージ（例えば、「向こうも電話をかけてくれているので、少し待ちますか？」といったメッセージ）を強制的に表示装置に表示させてもよいし、音声出力してもよい。
【００３８】
上述したように、第一の実施の形態によれば、通信端末装置１０ａは、同時発信の発生を自動的に検出することができ、同時発信の発生の検出に応じて、同時発信の抑制を着信先に促すことができる。その結果、同時発信が繰り返されるといった不都合が回避される可能性を高めることができる。
【００３９】
次に、第二の実施の形態について説明する。第二の実施の形態では第一の実施の形態と異なる点について説明する。したがって、特に言及されない点については、第一の実施の形態と同様でもよい。
【００４０】
図６は、第二の実施の形態における同時発信抑制処理の処理手順の一例を説明するためのフローチャートである。図６中、図５と同一ステップには同一ステップ番号を付し、その説明は省略する。図６では、ステップＳ１８０及びＳ１８１の代わりに、ステップＳ１９０〜Ｓ１９３が実行される。
【００４１】
同時発信判定部１４によって、同時発信が発生したと判定されると（Ｓ１６０でＹｅｓ）、同時発信抑制部１５は、同時発信抑制情報を、通信端末装置１０ａの表示装置１０４に表示させる（Ｓ１９０）。ここでの同時発信抑制情報は、例えば、「相手も電話をかけてくれているので、少し待ちますか？」といったメッセージと、待機又は再発信を、ユーザに選択させるためのボタン等を含む画面である。
【００４２】
通信端末装置１０ａのユーザによって待機が選択されると（Ｓ１９１でＹｅｓ）、同時発信抑制部１５は、呼出失敗発信の着信先に対して、発信の促進を示す情報（以下、「発信促進情報」という。）を送信する（Ｓ１９２）。発信促進情報は、例えば、「お電話を待ちしております、かけ直してください。」といったようなメッセージでもよい。当該メッセージは、例えば、ショートメッセージサービスを利用して送信されてもよいし、電子メールによって送信されてもよい。発信促進情報の送信により、当該着信先である通信端末装置１０ｂのユーザによって、再度、通信端末装置１０ａに対して発信が行われることを期待することができる。ここで、通信端末装置１０ａのユーザは、待機することを選択している。したがって、再度の同時発信が回避され、迅速な通話の成立を期待することができる。
【００４３】
一方、通信端末装置１０ａのユーザによって発信が選択されると（Ｓ１９１でＮｏ）、通話制御部１１は、呼出失敗発信における着信先の電話番号に対して、自動的に発信を行う（Ｓ１９３）。なお、ステップＳ１９３の前に、図５のステップＳ１８０が実行されてもよい。すなわち、着信先に対して、発信抑制情報が送信されてもよい。
【００４４】
なお、発信促進情報が、ショートメッセージサービス又は電子メールによって送信される場合、着信先のユーザは、通信端末装置１０ａを操作して発信促進情報を閲覧する必要がある。そうすると、当該ユーザは、発信促進情報を閲覧せずに、発信を控える可能性も考えられる。その結果、双方において発信が行われず、通話の成立までに時間を要してしまう可能性が有る。そこで、発信促進情報には、着信先の通信端末装置１０ｂが解釈可能なコマンドが含まれてもよい。当該コマンドを受信した通信端末装置１０ｂは、自動的に通信端末装置１０ａを着信先として発信を行ってもよい。
【００４５】
ところで、上記各実施の形態において、通信端末装置１０ｂが、通信端末装置１０ａと同じ機能構成（図３参照）を有している場合、各通信端末装置１０は、他方に対して、発信抑制情報又は発信促進情報を送信し合う可能性が有る。そうすると、同時発信が繰り返されたり、お互いに発信が控えられたりして、通話の成立までに時間を要してしまう可能性が有る。
【００４６】
そこで、各通信端末装置１０が、図３に示される機能構成を有する場合、各通信端末装置１０の同時発信抑制部１５は、例えば、着信通知に含まれている発信元の電話番号と、通信端末装置１０ａの電話番号とを比較してしてもよい。同時発信抑制部１５は、比較結果に応じて、発信抑制情報又は発信促進情報を送信するか否かを選択してもよい。例えば、同時発信抑制部１５は、双方の電話番号を単なる数値として扱い、その大小関係に基づいて、発信抑制情報又は発信促進情報を送信するか否かを選択してもよい。具体的には、第一の実施の形態において、通信端末装置１０ａの電話番号の方が小さい値であれば、通信端末装置１０ａの同時発信抑制部１５は、発信抑制情報の送信（Ｓ１８０）及び自動発信（Ｓ１８１）を実行する。通信端末装置１０ａの電話番号の方が大きい値であれば、通信端末装置１０ａの同時発信抑制部１５は、発信抑制情報の送信（Ｓ１８０）及び自動発信（Ｓ１８１）を実行しない。この場合、通信端末装置１０ｂの同時発信抑制部１５は、通信端末装置１０ａの電話番号の方が小さい値であれば、発信抑制情報の送信（Ｓ１８０）及び自動発信（Ｓ１８１）を実行しないことになる。また、通信端末装置１０ｂの同時発信抑制部１５は、通信端末装置１０ａの電話番号の方が大きい値であれば、発信抑制情報の送信（Ｓ１８０）及び自動発信（Ｓ１８１）を実行することになる。したがって、双方の通信端末装置１０の動作が、重複する可能性を低減することができる。
【００４７】
また、第二の実施の形態において、通信端末装置１０ａの電話番号の方が小さい値であれば、同時発信抑制部１５は、ステップＳ１９０において再発信を行うことを示す画面を表示し、自動的に再発信を行う（Ｓ１９３）。通信端末装置１０ａの電話番号の方が大きい値であれば、同時発信抑制部１５は、ステップＳ１９０において待機を促す画面を表示し、発信促進情報の送信（Ｓ１９２）を実行する。この場合、通信端末装置１０ｂの同時発信抑制部１５は、通信端末装置１０ａの電話番号の方が小さい値であれば、ステップＳ１９０において待機を促す画面を表示し、発信促進情報の送信（Ｓ１９２）を実行する。通信端末装置１０ｂの同時発信抑制部１５は、通信端末装置１０ａの電話番号の方が大きい値であれば、ステップＳ１９０において再発信を行うことを示す画面を表示し、自動的に再発信を行うことになる。したがって、双方の通信端末装置１０の動作が、重複する可能性を低減することができる。
【００４８】
なお、上記各実施の形態では、着信先の呼び出しの失敗に応じて、同時発信抑制処理が開始される例を示したが、同時発信抑制処理の開始の契機は、着信通知の受信であってもよい。この場合、監視タイマーの起動、監視、及び停止等は、実行されなくてもよい。
【００４９】
なお、上記各実施の形態において、同時発信判定部１４は、判定部の一例である。同時発信抑制部１５は、抑制部の一例である。通話制御部１１は、発信部の一例である。表示装置１０４は、表示部の一例である。
【００５０】
以上、本発明の実施例について詳述したが、本発明は斯かる特定の実施形態に限定されるものではなく、特許請求の範囲に記載された本発明の要旨の範囲内において、種々の変形・変更が可能である。
【００５１】
以上の説明に関し、更に以下の項を開示する。
（付記１）
通信端末装置であって、
着信通知が受信されると、呼び出しに失敗した発信のうち、着信先の番号が、前記着信通知に含まれる発信元の番号に一致し、発信に関する時刻が前記着信通知に係る時刻と所定の関係を有する発信の有無を判定する判定部と、
前記所定の関係を有する発信が有れば、当該通信端末装置又は前記着信先の通信端末装置に、発信の抑制を示す情報を出力させる抑制部と、
を有する通信端末装置。
（付記２）
前記抑制部は、前記着信先の通信端末装置に前記発信の抑制を示す情報を送信し、
前記情報が送信されると、前記着信先への発信を自動的に行う発信部を有する付記１記載の通信端末装置。
（付記３）
前記抑制部は、当該通信端末装置の表示部に前記発信の抑制を示す情報を表示し、前記着信先の通信端末装置に、当該通信端末装置への発信を促す情報を送信する付記１記載の通信端末装置。
（付記４）
前記抑制部は、前記着信通知に含まれる発信元の番号と、当該通信端末装置の番号との比較に基づいて、当該通信端末装置又は前記着信先の通信端末装置を、発信の抑制を示す情報を出力先として選択する付記１乃至３いずれか一項記載の通信端末装置。
（付記５）
通信端末装置が、
着信通知が受信されると、呼び出しに失敗した発信のうち、着信先の番号が、前記着信通知に含まれる発信元の番号に一致し、発信に関する時刻が前記着信通知に係る時刻と所定の関係を有する発信の有無を判定し、
前記所定の関係を有する発信が有れば、当該通信端末装置又は前記着信先の通信端末装置に、発信の抑制を示す情報を出力させる、
処理を実行する発信抑制方法。
（付記６）
前記出力させる処理は、前記着信先の通信端末装置に前記発信の抑制を示す情報を送信し、
前記情報が送信されると、前記着信先への発信を自動的に行う処理を当該通信端末装置が実行する付記５記載の発信抑制方法。
（付記７）
前記出力させる処理は、当該通信端末装置の表示部に前記発信の抑制を示す情報を表示し、前記着信先の通信端末装置に、当該通信端末装置への発信を促す情報を送信する付記５記載の発信抑制方法。
（付記８）
前記出力させる処理は、前記着信通知に含まれる発信元の番号と、当該通信端末装置の番号との比較に基づいて、当該通信端末装置又は前記着信先の通信端末装置を、発信の抑制を示す情報を出力先として選択する付記５乃至７いずれか一項記載の発信抑制方法。
（付記９）
通信端末装置に、
着信通知が受信されると、呼び出しに失敗した発信のうち、着信先の番号が、前記着信通知に含まれる発信元の番号に一致し、発信に関する時刻が前記着信通知に係る時刻と所定の関係を有する発信の有無を判定し、
前記所定の関係を有する発信が有れば、当該通信端末装置又は前記着信先の通信端末装置に、発信の抑制を示す情報を出力させる、
処理を実行させる発信抑制プログラム。
（付記１０）
前記出力させる処理は、前記着信先の通信端末装置に前記発信の抑制を示す情報を送信し、
前記情報が送信されると、前記着信先への発信を自動的に行う処理を当該通信端末装置が実行する付記９記載の発信抑制プログラム。
（付記１１）
前記出力させる処理は、当該通信端末装置の表示部に前記発信の抑制を示す情報を表示し、前記着信先の通信端末装置に、当該通信端末装置への発信を促す情報を送信する付記９記載の発信抑制プログラム。
（付記１２）
前記出力させる処理は、前記着信通知に含まれる発信元の番号と、当該通信端末装置の番号との比較に基づいて、当該通信端末装置又は前記着信先の通信端末装置を、発信の抑制を示す情報を出力先として選択する付記９乃至１１いずれか一項記載の発信抑制プログラム。
【符号の説明】
【００５２】
１            通信システム
１０          通信端末装置
１１          通話制御部
１２          着信通知監視部
１３          着信通知受信部
１４          同時発信判定部
１５          同時発信抑制部
２０          ＳＭＳセンター
１０１        ＣＰＵ
１０２        メモリ
１０３        補助記憶装置
１０４        表示装置
１０５        入力装置
１０６        無線通信装置
１０７        通話用ハードウェア
Ｎ１          電話通信網
【図１】
2014230125.tif 000003
【図２】
2014230125.tif 000004
【図３】
2014230125.tif 000005
【図４】
2014230125.tif 000006
【図５】
2014230125.tif 000007
【図６】
2014230125.tif 000008